(57)【要約】【課題】遊技場の不正による貸与数の間引きを防止することが可能な、遊技機を提供する。【解決手段】カードユニット２０は、１回の貸与で使用される単位有価価値（例えば４円貸し５度数の５００円）に応じた貸与数（例えば１２０個）を記憶しておくと共に、パチンコ機１０から製造元ＩＤを受信し、該製造元ＩＤに対応する暗号化鍵をシステムコントローラ４から受信して記憶しておく。パチンコ機は、製造元ＩＤに対応する復号化鍵をシステムコントローラからカードユニットを介して受信して記憶しておく。カードユニットは、貸与操作が行われると(S201)、前記記憶している貸与数を示す貸与数データを前記記憶している暗号化鍵で暗号化してパチンコ機に送信し(S204)、パチンコ機は、該貸与数データを前記記憶している復号化鍵で復号化して(S205)、該復号化した貸与数データが示す貸与数分のパチンコ玉を払い出す(S207)。【選択図】図６
2010088636.tif 000002
【特許請求の範囲】
【請求項１】
遊技媒体を貸与するための貸与要求処理を行う遊技用装置に対応して設けられ、前記貸与要求処理に応じて遊技媒体を貸与する貸与応答処理を行う遊技機であって、
当該遊技機の製造元又は機種を特定可能な遊技機特定情報に対応する復号化鍵を記憶する復号化鍵記憶手段と、
当該遊技機の遊技機特定情報を前記遊技用装置に対して送信する遊技機特定情報送信手段と、
前記遊技場以外の第三者機関が管理する管理装置から、１回の貸与で使用される単位有価価値に応じた遊技媒体の貸与数を特定可能な貸与数特定データを受信して記憶していると共に、少なくとも前記遊技機特定情報送信手段にて送信した遊技機特定情報に対応する暗号化鍵を記憶しており、前記記憶している貸与数特定データから特定される貸与数を示す貸与数データを前記記憶している暗号化鍵で暗号化して、前記貸与要求処理の際に、該暗号化した貸与数データを送信する前記遊技用装置から、該貸与数データを受信したことに基づいて、該受信した貸与数データを前記復号化鍵記憶手段にて記憶している復号化鍵で復号化する復号化手段と、を有し、
該復号化手段にて復号化した貸与数データが示す貸与数の遊技媒体を貸与する前記貸与応答処理を行うことを特徴とする遊技機。
【請求項２】
請求項１に記載した遊技機であって、
前記遊技用装置から受信した貸与数データが復号化できないことを条件として、前記貸与応答処理を行わないと共に、当該遊技用装置に対してエラー信号を送信することを特徴とする遊技機。
【請求項３】
請求項１又は２に記載した遊技機であって、
前記遊技用装置から受信した貸与数データが復号化できないことを条件として、前記貸与応答処理を行わないと共に、当該遊技用装置に対して前記遊技機特定情報送信手段により前記遊技機特定情報を送信することを特徴とする遊技機。
【請求項４】
請求項１〜３のいずれか１つに記載した遊技機であって、
前記遊技機特定情報に対応する復号化鍵を前記管理装置から前記遊技用装置を介して受信する復号化鍵受信手段をさらに有し、
前記復号化鍵記憶手段は書換可能に構成され、前記復号化鍵受信手段にて受信した復号化鍵を記憶することを特徴とする遊技機。
【請求項５】
請求項４に記載した遊技機であって、
前記復号化鍵記憶手段は、前記遊技用装置との通信が不能になったことに基づいて、前記記憶している復号化鍵を消去し、
前記遊技用装置との間における通信が確立されたことに基づいて、前記遊技機特定情報に対応する復号化鍵を前記復号化鍵受信手段により受信することを特徴とする遊技機。
【発明の詳細な説明】
【技術分野】
【０００１】
本発明は、遊技媒体を貸与するための貸与要求処理を行う遊技用装置に対応して設けられ、前記貸与要求処理に応じて遊技媒体を貸与する貸与応答処理を行う遊技機に係り、特に遊技場の不正による貸与数の間引きを防止するための遊技機に関する。
【背景技術】
【０００２】
従来より、特許文献１に示すように、遊技媒体の貸与額に対して消費税を徴収する場合に、遊技場内に設けられるシステムコントローラにおいて、消費税率及び１回の貸与で使用される単位有価価値に応じた貸与数（例えば１度数なら２４個，３度数なら７１個，５度数なら１１９個，１０度数なら２３８個等）を設定して、各カードユニットに配信し、各カードユニットにおいて貸与操作が行われると、前記設定された貸与数を示す貸与要求信号（例えば１度数なら２４個のパルス）を対応するパチンコ機に対して送信して、当該パチンコ機が当該貸与数の遊技媒体を貸与するものが知られている。また各パチンコ機において、前記単位有価価値に応じた貸与数をロータリースイッチで設定し、貸与に使用される単位有価価値を示す貸与要求信号を対応するカードユニットから受信すると、当該パチンコ機が前記設定された貸与数の遊技媒体を貸与するものが知られている。
【０００３】
【特許文献１】特開２００５−３４２１８３号公報（図５，段落００７９，図２６）
【発明の開示】
【発明が解決しようとする課題】
【０００４】
しかしながら、特許文献１に示すような構成においては、カードユニットとパチンコ機との間に前記貸与要求信号が示す貸与数を間引くような処理（例えばカードユニットから送信されてくる２４個のパルスから１パルスを間引いて２３個のパルスをパチンコ機に対して送信する処理）を行う不正基板を設けたり、前記ロータリースイッチの設定値を少なくする（例えば１度数なら２３個と設定する）ことにより、遊技場が貸与数を間引くという不正が可能であり、これによって遊技者が損害を被るという問題があった。
【０００５】
本発明は、このような背景のもとになされたものであり、その目的は、遊技場の不正による貸与数の間引きを防止することが可能な、遊技機を提供することにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず請求項１に係る発明は、遊技媒体（パチンコ玉）を貸与するための貸与要求処理（貸与通信部２３におけるＳ２０４の処理）を行う遊技用装置（カードユニット２０）に対応して遊技場内に設けられ、前記貸与要求処理に応じて遊技媒体を貸与する貸与応答処理（払出制御基板１２におけるＳ２０７の処理）を行う遊技機（パチンコ機１０）であって、当該遊技機の製造元又は機種を特定可能な遊技機特定情報（製造元ＩＤ又は機種ＩＤ）に対応する復号化鍵を記憶する復号化鍵記憶手段（払出制御基板１２のＥＥＰＲＯＭにおけるＳ１１９の処理を行う部分）と、当該遊技機の遊技機特定情報を前記遊技用装置に対して送信する遊技機特定情報送信手段（払出制御基板１２におけるＳ１０６の処理を行う部分）と、前記遊技場以外の第三者機関が管理する管理装置（システムコントローラ４）から、１回の貸与で使用される単位有価価値（例えば４円貸し５度数の５００円）に応じた遊技媒体の貸与数（例えば１２０個）を特定可能な貸与数特定データ（例えば消費税率５％，又は１度数１００円あたり２４個や５度数５００円あたり１２０個）を受信して（システムコントローラ用通信部２１がＳ１１１又はＳ１１１’の貸与数特定データを受信して）記憶している（ユニット制御部２２のＥＥＰＲＯＭにおけるＳ１１３の処理を行う）と共に、少なくとも前記遊技機特定情報送信手段にて送信した遊技機特定情報に対応する暗号化鍵を記憶しており（ユニット制御部２２のＥＥＰＲＯＭにおけるＳ１１７の処理を行い）、前記記憶している貸与数特定データから特定される貸与数を示す貸与数データを前記記憶している暗号化鍵で暗号化して（ユニット制御部２２におけるＳ２０３の処理を行い）、前記貸与要求処理の際に、該暗号化した貸与数データを送信する（貸与通信部２３におけるＳ２０４の処理を行う）前記遊技用装置から、該貸与数データを受信したことに基づいて、該受信した貸与数データを前記復号化鍵記憶手段にて記憶している復号化鍵で復号化する復号化手段（払出制御基板１２におけるＳ２０５の処理を行う部分）と、を有し、該復号化手段にて復号化した貸与数データが示す貸与数の遊技媒体を貸与する前記貸与応答処理を行うことを特徴とする遊技機である。
【０００８】
また請求項２に係る発明は、請求項１に記載した遊技機（パチンコ機１０）であって、前記遊技用装置（カードユニット２０）から受信した貸与数データが復号化できないこと（払出制御基板１２においてＳ２０６でＮＯと判定されたこと）を条件として、前記貸与応答処理（払出制御基板１２におけるＳ２０７の処理）を行わないと共に、当該遊技用装置に対してエラー信号を送信することを特徴とする遊技機である。
【０００９】
また請求項３に係る発明は、請求項１又は２に記載した遊技機（パチンコ機１０）であって、前記遊技用装置（カードユニット２０）から受信した貸与数データが復号化できないこと（払出制御基板１２においてＳ２０６でＮＯと判定されたこと）を条件として、前記貸与応答処理（払出制御基板１２におけるＳ２０７の処理）を行わないと共に、当該遊技用装置に対して前記遊技機特定情報送信手段により前記遊技機特定情報（製造元ＩＤ又は機種ＩＤ）を送信することを特徴とする遊技機である。
【００１０】
また請求項４に係る発明は、請求項１〜３のいずれか１つに記載した遊技機（パチンコ機１０）であって、前記遊技機特定情報（製造元ＩＤ又は機種ＩＤ）に対応する復号化鍵を前記管理装置（システムコントローラ４）から前記遊技用装置（カードユニット２０）を介して受信する復号化鍵受信手段（払出制御基板１２がＳ１１８又はＳ１３６の復号化鍵を受信する部分）をさらに有し、前記復号化鍵記憶手段（払出制御基板１２のＥＥＰＲＯＭにおけるＳ１１９又はＳ１３７の処理を行う部分）は書換可能に構成され、前記復号化鍵受信手段にて受信した復号化鍵を記憶することを特徴とする遊技機である。
【００１１】
さらに請求項５に係る発明は、請求項４に記載した遊技機（パチンコ機１０）であって、前記復号化鍵記憶手段（払出制御基板１２のＥＥＰＲＯＭにおけるＳ１１９又はＳ１３７の処理を行う部分）は、前記遊技用装置（カードユニット２０）との通信が不能になったこと（払出制御基板１２においてＳ１３１で通信不能発生を検知したこと）に基づいて、前記記憶している復号化鍵を消去し（払出制御基板１２のＥＥＰＲＯＭにおけるＳ１３２の処理を行い）、前記遊技用装置との間における通信が確立されたこと（払出制御基板１２においてＳ１３３で通信可能復帰を検知したこと）に基づいて、前記遊技機特定情報（製造元ＩＤ又は機種ＩＤ）に対応する復号化鍵を前記復号化鍵受信手段により受信する（払出制御基板１２におけるＳ１３６の処理を行う）ことを特徴とする遊技機である。
【発明の効果】
【００１２】
まず請求項１に係る遊技機によれば、遊技機の製造元又は機種を特定可能な遊技機特定情報が該遊技機から遊技用装置に対して送信され、遊技用装置において、貸与数を示す貸与数データが前記遊技機特定情報に対応する暗号化鍵で暗号化されて遊技機に対して送信され、遊技機において、前記遊技機特定情報に対応する復号化鍵で復号化された貸与数データが示す貸与数の遊技媒体が貸与されるので、遊技場の不正による貸与数の間引きを防止することができる。
【００１３】
また請求項２に係る遊技機によれば、貸与数データが復号化できなければ、貸与応答処理が行われずに、遊技用装置に対してエラー信号が送信されるので、該エラー信号を遊技用装置を介して受信した管理装置を管理する第三者機関において、エラーを早期に発見できて、迅速な対応をとることができる。
【００１４】
また請求項３に係る遊技機によれば、貸与数データが復号化できなければ、貸与応答処理が行われずに、遊技用装置に対して遊技機特定情報が送信されるので、エラーの原因となる遊技機特定情報の誤りを修正することができて、早期に復旧することができる。
【００１５】
また請求項４に係る遊技機によれば、遊技機特定情報に対応する復号化鍵を管理装置から受信して、記憶している復号化鍵を該受信した復号化鍵に書き換えることにより、復号化鍵を容易に更新できるので、より不正を防止することができる。
【００１６】
さらに請求項５に係る遊技機によれば、遊技用装置との間における通信が不能になったことに基づいて、記憶している復号化鍵が消去されるので、該通信不能時に復号化鍵が不正に取得されてしまうことを防止することができる。
【発明を実施するための最良の形態】
【００１７】
以下、本発明の実施の形態を、図面を参照して説明する。本発明は、図１に示すように、遊技媒体（パチンコ玉）を貸与するための貸与要求処理を行う遊技用装置（カードユニット２０）と、該遊技用装置に対応して設けられ、前記貸与要求処理に応じて遊技媒体を貸与する貸与応答処理を行う遊技機（パチンコ機１０）と、を遊技場内に備える遊技用システム１であって、特に遊技場の不正による貸与数の間引きを防止するためのものである。
【００１８】
以下においては、遊技機がパチンコ機１０であり、遊技媒体がパチンコ玉であり、該パチンコ玉の貸与にあたり消費税額が徴収され、消費税率が５％であり、パチンコ玉の税抜き貸与単価が４円（いわゆる４円貸し）であり、従ってパチンコ玉の税込み貸与単価が４．２円であり、１回の貸与で使用される単位有価価値が５度数５００円であり、従って単位有価価値に応じたパチンコ玉の貸与数が５００円÷４．２円／個＝１１９．０４…の小数点以下を切り上げた１２０個である例について説明する。ここで小数点以下を切り上げるのは、１２０個×４．２円／個−５００円＝４円を遊技場が負担することとして、遊技者に損をさせないためである。また度数は、後述するカード残額を最小の単位有価価値である１００円で除算した商である。なお消費税率，税抜き貸与単価，及び単位有価価値は、全てのカードユニット２０について同一であるものとする。
【００１９】
ここで本発明には、図１〜図６に示す第１実施形態と、図７及び図８に示す第２実施形態とが含まれ、各々が以下の特徴を有する。まず第１実施形態では、遊技場以外の第三者機関（例えばカード会社）が管理するセンタサーバ５において、消費税率（ここでは５％）が設定され、該設定された消費税率が、単位有価価値に応じたパチンコ玉の貸与数を特定可能な貸与数特定データとして、システムコントローラ４において記憶されると共に、全てのカードユニット２０においてユニット制御部２２のＥＥＰＲＯＭで記憶される（図３のＳ１１３）。一方、第２実施形態では、前記センタサーバ５において、１回の貸与で使用される単位有価価値に応じたパチンコ玉の貸与数（ここでは１２０個）が設定され、該設定された貸与数が、前記貸与数特定データとして、システムコントローラ４において記憶されると共に、全てのカードユニット２０においてユニット制御部２２のＥＥＰＲＯＭで記憶される（図８のＳ１１３）。
【００２０】
そして本発明に係る遊技用システム１は、遊技場の不正による貸与数の間引きを防止するために、図１に示すように、カードユニット２０が、パチンコ機１０の製造元を特定可能な製造元ＩＤを受信して記憶し（Ｓ１０６，Ｓ１０７）、図６に示すように、Ｓ１１３で記憶した貸与数特定データから特定される貸与数を示す貸与数データを、Ｓ１０７で記憶した製造元ＩＤに対応する暗号化鍵で暗号化して（Ｓ２０３）、パチンコ機１０に対して送信し（Ｓ２０４）、該パチンコ機１０が、受信した貸与数データを、当該パチンコ機１０の製造元ＩＤに対応する復号化鍵で復号化して（Ｓ２０５）、該復号化した貸与数データが示す貸与数分のパチンコ玉を払い出して貸与する（Ｓ２０７）ことを特徴とするものである。なお暗号化及び復号化は、共通鍵暗号や公開鍵暗号等の公知の技術を用いて行われる。
【００２１】
そして第１実施形態では、図１に示すように、システムコントローラ４が、複数の製造元ＩＤの各々に対応する複数の暗号化鍵及び復号化鍵を記憶しており、図３に示すように、カードユニット２０は、Ｓ１０７で記憶した製造元ＩＤに対応する暗号化鍵及び復号化鍵を、システムコントローラ４から受信して（Ｓ１１２）、該暗号化鍵を記憶すると共に（Ｓ１１７）、該復号化鍵をパチンコ機１０に送信し（Ｓ１１８）、パチンコ機１０は、該復号化鍵を記憶する（Ｓ１１９）。そして図６に示すように、カードユニット２０は、Ｓ１１７で記憶した暗号化鍵で貸与数データを暗号化して（Ｓ２０３）、該暗号化した貸与数データをパチンコ機１０に送信し（Ｓ２０４）、パチンコ機１０は、Ｓ１１９で記憶した復号化鍵で該貸与数データを復号化する（Ｓ２０５）。一方、第２実施形態では、図７に示すように、カードユニット２０が、複数の製造元ＩＤの各々に対応する複数の暗号化鍵を記憶していると共に、パチンコ機１０が、当該パチンコ機１０の製造元ＩＤに対応する復号化鍵を記憶している。そして図８に示すように、カードユニット２０は、Ｓ１０７で記憶した製造元ＩＤに対応する暗号化鍵を、前記記憶している複数の暗号化鍵の中から選択し（Ｓ２０２’）、該選択した暗号化鍵で貸与数データを暗号化して（Ｓ２０３’）、該暗号化した貸与数データをパチンコ機１０に送信し（Ｓ２０４）、パチンコ機１０は、前記記憶している復号化鍵で該貸与数データを復号化する（Ｓ２０５）。
【００２２】
以下においては、まず第１実施形態について説明し、次に第２実施形態について第１実施形態と異なる点についてのみ説明し、最後に変形例について説明する。また、以下においては、データベースを「ＤＢ」，リーダ／ライタを「Ｒ／Ｗ」，ステップを「Ｓ」と略記する。
【００２３】
［１．第１実施形態］
まず、図１及び図２を参照して、第１実施形態に係る遊技用システム１の構成について説明する。この遊技用システム１では、図１に示すように、遊技場内において、遊技島に設置され、複数のパチンコ機１０及び各パチンコ機１０に対応付けられている複数のカードユニット２０と、ユニットストッカ３０内にストックされ、パチンコ機１０に対応付けられていない複数の予備のカードユニット２０’と、第三者機関が管理し、各カードユニット２０及び予備の各カードユニット２０’と通信可能なシステムコントローラ４とが設けられており、また遊技場外において、第三者機関が管理し、システムコントローラ４と通信可能なセンタサーバ５が設けられている。また遊技用システム１では、紙幣２，プリペイドカード３が使用される。
【００２４】
紙幣２は貨幣の一例であって、ここでは図２（ｂ）に示すように、１０００円紙幣，２０００円紙幣，５０００円紙幣，及び１００００円紙幣の４種類の紙幣が使用可能である。この紙幣２は、カードユニット２０においてプリペイドカード３が受け付けられているときにのみ受付可能（即ち入金可能）とされ、カードユニット２０においてプリペイドカード３が受け付けられていないときには受付不能（即ち入金不能）である。
【００２５】
プリペイドカード３は遊技用記録媒体の一例であって、パチンコ玉の貸与に使用可能なカード残額を特定するための情報が記録されたものであり、ここでは該情報として、該プリペイドカード３を個々に識別可能なカードＩＤと、当該カード残額とが記録される。このプリペイドカード３は、長方形状を呈するプラスチック製の薄板における所定の部位に、カードＩＤ及びカード残額等が記録される記録領域（図示外）が形成されてなるものであり、ここでは該記録領域として不揮発性のＥＥＰＲＯＭを備える非接触式の集積回路（ＩＣチップ）を搭載したＩＣカードである。このプリペイドカード３は、図示しないカード販売機において、紙幣２が受け付けられてカード発行処理が行われると、システムコントローラ４の残額管理ＤＢにおいて、発行されるプリペイドカード３のカードＩＤに対応付けて、該受け付けられた紙幣２の金額がカード残額として記憶された後、該カードＩＤのプリペイドカード３に該カード残額が記録されて発行される。
【００２６】
センタサーバ５は、貸与数を算出するための所定の掛数である消費税率を設定する消費税率設定手段として機能するディスプレイ及び入力装置を備えているコンピュータである。このセンタサーバ５において、消費税率設定処理が実行されると、図示のような消費税率設定画面がディスプレイに表示される。この消費税率設定画面において、入力装置の操作により、消費税率（ここでは５％）を入力し、「設定」ボタンを操作すると、該入力された内容で消費税率が設定される。
【００２７】
そして該設定された消費税率は、単位有価価値に応じたパチンコ玉の貸与数を特定可能な貸与数特定データとして、システムコントローラ４に対して送信されて記憶され、さらにカードユニット２０又は予備のカードユニット２０’からの要求に応じて該カードユニット２０及び予備のカードユニット２０’に対して送信されて記憶される（図３又は図４のＳ１０９，Ｓ１１１）。
【００２８】
システムコントローラ４は管理装置の一例であって、残額管理ＤＢ及び鍵管理ＤＢを備えているコンピュータである。残額管理ＤＢでは、各プリペイドカード３のカードＩＤに対応付けて、各プリペイドカード３に記録されているカード残額が記憶されて管理されている。この残額管理ＤＢの管理内容は、後述する貸与要求処理が行われたカードユニット２０から、カードＩＤ及び貸与に使用された使用額を含む減算要求（図６のＳ２１０）が送信されてくる毎に、該カードＩＤに対応付けて記憶されているカード残額から、該使用額が減算更新される。また残額管理ＤＢの管理内容は、後述する入金処理が行われたカードユニット２０から、カードＩＤ及び入金額を含む入金要求が送信されてくる毎に、該カードＩＤに対応付けて記憶されているカード残額に対して、該入金額が加算更新される。鍵管理ＤＢでは、パチンコ機１０の製造元を特定可能な製造元ＩＤ（ここではＡ〜Ｃ）の各々に対応付けて、暗号化鍵と復号化鍵とが管理されている。この暗号化鍵と復号化鍵は、定期的に更新される。
【００２９】
次に、遊技用システム１の構成要素であるパチンコ機１０について説明する。パチンコ機１０は遊技機の一例であって、図１及び図２（ａ）に示すように、カードユニット２０に対応して（ここではカードユニット２０の右側に隣接して）設けられ、該カードユニット２０が行う貸与要求処理に応じてパチンコ玉を貸与する、いわゆるＣＲ式のパチンコ機である。このパチンコ機１０は、遊技場内に配置された遊技島（図示外）において該パチンコ機１０の機種等に従って設置されており、前記貸与されたパチンコ玉を遊技領域に打ち込むことにより遊技が行われる。
【００３０】
このパチンコ機１０は、図２（ａ）に示すように、その前面に遊技領域，上皿，下皿，及び発射ハンドル等を備えると共に、残度数表示器１４，貸与ボタン１５，及びカード返却ボタン１６を備え、図１に示すように、その内部に遊技制御基板１１，払出制御基板１２，及び玉払出装置１３等を備えており、これらの各構成要素は図１に示すように接続されている。
【００３１】
遊技制御基板１１は、パチンコ機１０における遊技状態を制御するものである。払出制御基板１２は、カードユニット２０の貸与通信部２３と接続されており、パチンコ機１０とカードユニット２０との間における通信を司るものである。これにより、図３に示す電源投入時や、図６に示す貸与操作の受付時に、カードユニット２０との間で信号のやり取りが行われる。また払出制御基板１２は、玉払出装置１３と接続され、該玉払出装置１３を制御するものである。この払出制御基板１２は、演算処理を行うＣＰＵ，揮発性で書換可能な記憶手段であるＲＡＭ，不揮発性で書換不能な記憶手段であるＲＯＭ，及び不揮発性で書換可能な記憶手段であるＥＥＰＲＯＭ等を備えている。ここでＲＯＭは、当該パチンコ機１０の製造元を特定可能な製造元ＩＤを遊技機特定情報として記憶している。玉払出装置１３は、貸与が行われて遊技者に貸し出されるパチンコ玉や、遊技の結果として遊技者に付与されるパチンコ玉（いわゆる賞球）を払い出すものである。
【００３２】
残度数表示器１４は、対応するカードユニット２０のカードＲ／Ｗ２４にて受け付けているプリペイドカード３に記録されているカード残額から特定される残度数を表示するための表示器であり、ここでは３桁の７セグメント表示器によって構成されている。この残度数表示器１４では、図１に示すように、貸与通信部２３との間に図示しないＬＥＤ駆動回路を介して設けられている度数表示信号線を介して、該貸与通信部２３から残度数を示す度数表示信号が入力されることによって、該残度数が表示される。この度数表示信号に含まれる残度数は、前述の如く、「カード残額÷最小の単位有価価値（ここでは１００円）」の式で演算された商である。
【００３３】
貸与ボタン１５は、対応するカードユニット２０のカードＲ／Ｗ２４にて受け付けているプリペイドカード３に記録されているカード残額を使用した貸与を行うための貸与操作を受け付けるボタンである。図１に示すように、貸与ボタン１５が操作されたことにより、貸与通信部２３との間に図示しない検出回路を介して設けられている貸出入力信号線を介して、該貸与通信部２３に貸出入力信号が入力され、該検出回路が該貸出入力信号の入力を検出することによって、ユニット制御部２２が貸与ボタン１５が操作された旨を認識する。
【００３４】
カード返却ボタン１６は、対応するカードユニット２０のカードＲ／Ｗ２４にて受け付けているプリペイドカード３を返却するための返却操作を受け付けるものである。図１に示すように、カード返却ボタン１６が操作されたことにより、貸与通信部２３との間に図示しない検出回路を介して設けられている返却入力信号線を介して、該貸与通信部２３に返却入力信号が入力され、該検出回路が該返却入力信号の入力を検出することによって、ユニット制御部２２がカード返却ボタン１６が操作された旨を認識し、カードＲ／Ｗ２４に対してプリペイドカード３の排出指令を出力する。この排出指令が入力されたカードＲ／Ｗ２４では、カード挿入口２４ａから挿入されたプリペイドカード３を内部に取り込む搬送機構が逆方向に回転されることにより、内部に取り込まれているプリペイドカード３がカード挿入口２４ａから排出されて返却される。
【００３５】
上記の残度数表示器１４，貸与ボタン１５，及びカード返却ボタン１６は、図２（ａ）に示すように、パチンコ機１０の前面（ここでは上皿）に設けられているが、図１に示すように、カードユニット２０と接続されているので、遊技用装置である該カードユニット２０に属するものでもある。
【００３６】
次に、遊技用システム１の構成要素であるカードユニット２０について説明する。カードユニット２０は遊技用装置の一例であって、図１及び図２（ａ）に示すように、パチンコ機１０に対応して（ここではパチンコ機１０の左側に隣接して）設けられ、パチンコ玉を貸与するための貸与要求処理を行うものである。
【００３７】
このカードユニット２０は、縦長の箱型の形状を呈するものであり、図２（ａ）に示すように、その前面に多機能ランプ２６，紙幣挿入口２５ａ，及びカード挿入口２４ａ等を備え、図１及び図２（ｂ）に示すように、その内部に紙幣識別機２５，システムコントローラ用通信部２１，ユニット制御部２２，貸与通信部２３，及びカードＲ／Ｗ２４等を備えており、これらの各構成要素は図１に示すように接続されている。なお、各カードユニット２０は、ユニットＩＤによって個々に識別可能とされている。
【００３８】
システムコントローラ用通信部２１は、システムコントローラ４と通信可能に接続されており、カードユニット２０とシステムコントローラ４との間における通信を司るものである。このシステムコントローラ用通信部２１は、カードユニット２０の電源が投入されたときに、図３のＳ１０９に示すように、システムコントローラ４で記憶している消費税率（ここでは５％）を示す前記貸与数特定データの送信要求を該システムコントローラ４に対して送信するものである。またシステムコントローラ用通信部２１は貸与数特定データ受信手段の一例であって、図３のＳ１１１に示すように、システムコントローラ４から前記貸与数特定データ（ここでは消費税率５％）を受信するものである。
【００３９】
ユニット制御部２２は、演算処理を行うＣＰＵ，揮発性で書換可能な記憶手段であるＲＡＭ，不揮発性で書換不能な記憶手段であるＲＯＭ，及び不揮発性で書換可能な記憶手段であるＥＥＰＲＯＭ等を備えており、ＲＯＭ（あるいはＥＥＰＲＯＭ）に記憶されている処理プログラムがＲＡＭを作業領域としてＣＰＵで実行されることにより、カードユニット２０に備えられる各構成要素の動作を制御して各種の処理を行うものである。ここでＥＥＰＲＯＭは貸与数特定データ記憶手段の一例であって、前記貸与数特定データ受信手段にて受信した貸与数特定データ（ここでは消費税率５％）を記憶するものである。またＥＥＰＲＯＭは、前記税抜き貸与単価（ここでは４円）及び前記単位有価価値（ここでは５度数５００円）や、前記ユニットＩＤを記憶するものでもある。
【００４０】
貸与通信部２３は、パチンコ機１０の払出制御基板１２と接続されており、カードユニット２０とパチンコ機１０との間における通信を司るものである。この貸与通信部２３と払出制御基板１２との間には、接続確認信号線，払出可能信号線，製造元ＩＤ信号線，復号化鍵信号線，貸与数データ信号線，及び貸与完了信号線が設けられている。
【００４１】
接続確認信号線は、図３又は図４のＳ１０３に示すように、カードユニット２０とパチンコ機１０との接続確認を行うための信号線である。この接続確認信号線を介して接続確認信号が送信されることにより、カードユニット２０からパチンコ機１０の発射制御基板（図示外）に対して電源が供給されて、パチンコ機１０において発射ハンドルの操作が可能となる。
【００４２】
払出可能信号線は、図３又は図４のＳ１０４に示すように、パチンコ機１０からカードユニット２０に対して、該パチンコ機１０とカードユニット２０との間における通信が可能な状態（スタンバイ状態）である旨を示す払出可能信号を送信する信号線である。
【００４３】
製造元ＩＤ信号線は、図３又は図４のＳ１０５に示すように、カードユニット２０からパチンコ機１０に対して、当該パチンコ機１０が記憶している遊技機特定情報である製造元ＩＤの送信を要求し、同Ｓ１０６に示すように、パチンコ機１０からカードユニット２０に対して、該製造元ＩＤを送信する信号線である。
【００４４】
復号化鍵信号線は、図３又は図４のＳ１１８や図５（ｂ）のＳ１３６に示すように、カードユニット２０からパチンコ機１０に対して、当該カードユニット２０がシステムコントローラ４から受信した復号化鍵を送信する信号線である。
【００４５】
貸与数データ信号線は、図６のＳ２０４に示すように、パチンコ機１０からカードユニット２０に対して、図３又は図４のＳ１１６で算出して記憶している貸与数を示し図６のＳ２０３で暗号化鍵により暗号化された貸与数データを送信する信号線である。
【００４６】
貸与完了信号線は、図６のＳ２０８に示すように、パチンコ機１０からカードユニット２０に対して、貸与応答処理が完了した旨を示す貸与完了信号を送信する信号線である。
【００４７】
カードＲ／Ｗ２４は、カード挿入口２４ａから挿入されたプリペイドカード３を受け付けて、該受け付けたプリペイドカード３に記録されているカードＩＤ及びカード残額を読み取るものである。このカードＲ／Ｗ２４によりプリペイドカード３が受け付けられると、システムコントローラ用通信部２１は、ユニット制御部２２の制御により、受付中のプリペイドカード３から読み取ったカードＩＤ及びカード残額を含むカード照合要求をシステムコントローラ４に対して送信する。該カード照合要求を受信したシステムコントローラ４は、該カード照合要求に含まれるカードＩＤに対応付けて残額管理ＤＢで記憶されているカード残額と該カード照合要求に含まれるカード残額とが一致するか否かを判定し、一致すると判定された場合には、照合ＯＫの照合結果情報をカードユニット２０に対して返信し、一致しないと判定された場合には、照合ＮＧの照合結果情報をカードユニット２０に対して返信する。そしてカードユニット２０は、照合ＯＫの照合結果情報を受信した場合には、貸与操作を受付可能となり、照合ＮＧの照合結果情報を受信した場合には、受け付けているプリペイドカード３を排出する。
【００４８】
紙幣識別機２５は、カードＲ／Ｗ２４によりプリペイドカード３を受け付けている状態で、紙幣挿入口２５ａから挿入された紙幣２を受け付けて、該受け付けた紙幣２が前記４種類の紙幣のうちのいずれの紙幣であるかを識別する（いずれの紙幣でもなければ正規の紙幣ではないと識別する）ものである。この識別により、受け付けた紙幣が正規の紙幣２であれば、該紙幣２の金額を入金額としてユニット制御部２２に出力し、システムコントローラ用通信部２１は、該ユニット制御部２２の制御により、受付中のプリペイドカード３から読み取ったカードＩＤ及び該入金額を含む入金要求をシステムコントローラ用通信部２１に対して送信する。該入金要求を受信したシステムコントローラ４は、前述の如く、該入金要求に含まれるカードＩＤに対応付けて残額管理ＤＢで記憶されているカード残額に対して該入金要求に含まれる入金額を加算更新する。なお識別が完了した正規の紙幣２は、紙幣通路２５ｂを通じてカードユニット２０の背面から外部に排出され、遊技島に設けられた紙幣搬送機構（図示外）により搬送されて、金庫（図示外）に回収される。一方、カードＲ／Ｗ２４によりプリペイドカード３を受け付けていない状態で紙幣２が挿入された場合や、受け付けた正規の紙幣ではないと識別した場合には、該紙幣２を紙幣挿入口２５ａから返却する。
【００４９】
多機能ランプ２６は、各種の態様で点灯や点滅することにより、当該カードユニット２０や対応するパチンコ機１０の状態を報知するものである。
【００５０】
図１に示すユニットストッカ３０にストックされている予備のカードユニット２０’は、パチンコ機１０に対応付けられていない点を除き、カードユニット２０と同様の構成を有するものである。
【００５１】
次に、図３〜図６を参照して、第１実施形態に係る遊技用システム１の作用を説明する。
【００５２】
図３は、カードユニット２０及びパチンコ機１０において電源が投入された際の電源投入時処理の一例を表すフローチャートである。カードユニット２０において電源が投入されると共に（Ｓ１０１）、パチンコ機１０において電源が投入されると（Ｓ１０２）、接続確認信号線を介して、カードユニット２０とパチンコ機１０との間で接続確認を行い（Ｓ１０３）、該接続確認が行われると、払出確認信号線を介して、パチンコ機１０からカードユニット２０に対して払出確認信号を送信する（Ｓ１０４）。
【００５３】
次にカードユニット２０は、パチンコ機１０との間における通信が確立されたこと、即ちＳ１０４の払出確認信号を受信したことに基づいて、製造元ＩＤ信号線を介して、パチンコ機１０に対して製造元ＩＤの送信を要求し（Ｓ１０５）、該パチンコ機１０は、遊技機特定情報送信手段として機能する払出制御基板１２により、製造元ＩＤ信号線を介して、払出制御基板１２のＲＯＭで記憶している製造元ＩＤをカードユニット２０に対して送信し（Ｓ１０６）、該カードユニット２０は、遊技機特定情報受信手段として機能する貸与通信部２３により、該製造元ＩＤをパチンコ機１０から受信して、ユニット制御部２２のＥＥＰＲＯＭにより、該受信した製造元ＩＤを記憶する（Ｓ１０７）。これによれば、カードユニット２０において、対応するパチンコ機１０との間における通信が確立されたことに基づいて製造元ＩＤの送信が要求されるので、パチンコ機１０の交換等が行われても、正しい製造元ＩＤに更新することができる。
【００５４】
Ｓ１０７の処理を行ったカードユニット２０は、システムコントローラ４との間における通信が確立しているか否かを判定し（Ｓ１０８）、該通信が確立している（ＹＥＳ）と判定された場合には、システムコントローラ４に対して貸与数特定データの送信を要求すると共に（Ｓ１０９）、システムコントローラ４に対してＳ１０７で記憶した製造元ＩＤに対応する暗号化鍵及び復号化鍵の送信を要求する（Ｓ１１０）。即ちＳ１０９の処理を行うカードユニット２０は、システムコントローラ４との間における通信が確立されたことに基づいて、該システムコントローラ４に対して貸与数特定データの送信を要求するものであり、これによれば、例えばカードユニット２０を遊技島から取り外した通信不能状態で不正が行われるような場合であっても、該カードユニット２０が遊技島に設置されて通信可能状態となったときにシステムコントローラ４から貸与数特定データを取得することができる。
【００５５】
Ｓ１０９及びＳ１１０の送信要求を受信したシステムコントローラ４は、センタサーバ５から送信されてきて記憶している消費税率（ここでは５％）を所定の掛数として示す貸与数特定データをカードユニット２０に対して送信すると共に（Ｓ１１１）、Ｓ１１０で送信されてきた製造元ＩＤに対応する暗号化鍵及び復号化鍵をカードユニット２０に対して送信し（Ｓ１１２）、該カードユニット２０は、前記貸与数特定データ受信手段として機能するシステムコントローラ用通信部２１により、システムコントローラ４から送信されてくる貸与数特定データを受信すると共に、鍵受信手段として機能するシステムコントローラ用通信部２１により、システムコントローラ４から送信されてくる暗号化鍵及び復号化鍵（即ちＳ１０６で受信した製造元ＩＤに対応する暗号化鍵及び復号化鍵）を受信する。
【００５６】
Ｓ１１１の貸与数特定データを受信したカードユニット２０は、前記貸与数特定データ記憶手段として機能するユニット制御部２２のＥＥＰＲＯＭにより、該受信した貸与数特定データを記憶して（Ｓ１１３）、該記憶している貸与数特定データをシステムコントローラ４に対して送信し（Ｓ１１４）、該貸与数特定データを受信したシステムコントローラ４は、該受信した貸与数特定データと前記記憶している貸与数特定データとが一致するか否かを照合し（Ｓ１１５）、一致しなければ（ＮＯ）、前記Ｓ１１１の処理を行う。これによれば、カードユニット２０が記憶している貸与数特定データがシステムコントローラ４に対して送信されるので、システムコントローラ４においてカードユニット２０が記憶している貸与数特定データが正しいか否かを監視することができる。
【００５７】
Ｓ１１３の処理を行ったカードユニット２０は、貸与数算出手段として機能するユニット制御部２２により、前記記憶している貸与数特定データ（ここでは消費税率５％）と当該カードユニット２０について予め定められている単位有価価値（ここでは４円貸し５度数５００円）とに基づいて貸与数（ここでは１２０個）を算出して、ユニット制御部２２のＥＥＰＲＯＭにより、該算出した貸与数を記憶する（Ｓ１１６）。これによれば、システムコントローラ４から所定の掛数（消費税率５％）を示す貸与数特定データが送信され、該所定の掛数と当該カードユニット２０について予め定められている単位有価価値（４円貸し５度数５００円）とに基づいて貸与数が算出されるので、遊技場内に単位有価価値が異なるカードユニット２０（例えば単位有価価値が４円貸し５度数５００円の遊技用装置や１円貸し２度数２００円の遊技用装置）が設置されている場合であっても、システムコントローラ４が単位有価価値毎の貸与数特定データを送信する必要が無い。
【００５８】
Ｓ１１２の暗号化鍵及び復号化鍵を受信したカードユニット２０は、暗号化鍵記憶手段として機能するユニット制御部２２のＥＥＰＲＯＭにより、該受信した暗号化鍵（即ちＳ１０６で受信した製造元ＩＤに対応する暗号化鍵）を記憶すると共に（Ｓ１１７）、復号化鍵信号線を介して、該受信した復号化鍵をパチンコ機１０に対して送信して（Ｓ１１８）、貸与操作を受付可能なスタンバイ状態となる。パチンコ機１０は、復号化鍵受信手段として機能する払出制御基板１２により、システムコントローラ４からカードユニット２０を介して送信されてくる復号化鍵（即ちＳ１０６で送信した製造元ＩＤに対応する復号化鍵）を受信して、復号化鍵記憶手段として機能する払出制御基板１２のＥＥＰＲＯＭにより、該受信した復号化鍵を記憶する（Ｓ１１９）。これによれば、製造元ＩＤに対応する復号化鍵をシステムコントローラ４から受信して、記憶している復号化鍵を該受信した復号化鍵に書き換えることにより、復号化鍵を容易に更新（例えば毎日更新）できるので、より不正を防止することができる。
【００５９】
図４は、予備のカードユニット２０’において電源が投入された際の電源投入時処理，及び該予備のカードユニット２０’がパチンコ機１０に対応付けられた際の設置時処理の一例を表すフローチャートである。ユニットストッカ３０にストックされている予備のカードユニット２０’において電源が投入されると（Ｓ１０１）、該予備のカードユニット２０’及びシステムコントローラ４において、前記Ｓ１０８，Ｓ１０９，Ｓ１１１，及びＳ１１３〜Ｓ１１６の処理を行う。そして該予備のカードユニット２０’が、電源を切られてユニットストッカ３０から取り出され、パチンコ機１０に対応付けて設置されることにより前記カードユニット２０となり、該カードユニット２０において交換モードで電源が投入（例えばカードユニット２０に設けられた交換モードスイッチを押した状態で電源が投入）されると共に（Ｓ１０１’）、パチンコ機１０において電源が投入されると（Ｓ１０２）、前記Ｓ１０８，Ｓ１０９，Ｓ１１１，及びＳ１１３〜Ｓ１１６の処理を行うことなく、該カードユニット２０及びパチンコ機１０において、前記Ｓ１０３〜Ｓ１０７，Ｓ１１０，Ｓ１１２，及びＳ１１７〜Ｓ１１９の処理を行う。
【００６０】
即ち予備のカードユニット２０’は、前記貸与数特定データ受信手段によりシステムコントローラ４から貸与数特定データを受信して（Ｓ１１１）、該受信した貸与数特定データを前記貸与数特定データ記憶手段により記憶する（Ｓ１１３）ものである。これによれば、予備のカードユニット２０’も、システムコントローラ４から貸与数特定データを受信して記憶しているので、該予備のカードユニット２０’をパチンコ機１０に対応付けて設置したときにも、当該カードユニット２０の稼働を迅速に開始することができる。
【００６１】
なお、図示しないが、予備のカードユニット２０’は、パチンコ機１０に対応付けられシステムコントローラ４との間における通信が確立されたことに基づいて、前記Ｓ１１４と同様に、前記記憶している貸与数特定データ（ここでは消費税率５％）をシステムコントローラ４に対して送信し、該貸与数特定データを受信したシステムコントローラ４は、前記Ｓ１１５と同様に、該受信した貸与数特定データと前記記憶している貸与数特定データとが一致するか否かを照合し、一致しなければ、前記Ｓ１１１の処理を行う。これによれば、予備のカードユニット２０’が記憶している貸与数特定データがシステムコントローラ４に対して送信されるので、システムコントローラ４において予備のカードユニット２０’が記憶している貸与数特定データが正しいか否かを監視することができる。
【００６２】
図５（ａ）は、カードユニット２０とシステムコントローラ４との間において通信不能が発生した際の通信不能発生時処理の一例を表すフローチャートである。カードユニット２０は、システムコントローラ４との間における通信の可否を常時監視しており、システムコントローラ４との間で通信不能が発生したことを検知すると（Ｓ１２１）、ユニット制御部２２のＥＥＰＲＯＭで記憶している暗号化鍵を消去し（Ｓ１２２）、システムコントローラ４との間で通信可能に復帰したことを検知すると（Ｓ１２３）、システムコントローラ４に対してＳ１０７で記憶した製造元ＩＤに対応する暗号化鍵の送信を要求し（Ｓ１２４）、前記鍵受信手段として機能するシステムコントローラ用通信部２１により、該送信要求に応じてシステムコントローラ４から送信されてくる暗号化鍵を受信して（Ｓ１２５）、前記暗号化鍵記憶手段として機能するユニット制御部２２のＥＥＰＲＯＭにより、該受信した暗号化鍵（即ちＳ１０６で受信した製造元ＩＤに対応する暗号化鍵）を記憶する（Ｓ１２６）。これによれば、システムコントローラ４との間における通信が不能になったことに基づいて、カードユニット２０が記憶している暗号化鍵が消去されるので、該通信不能時に暗号化鍵が不正に取得されてしまうことを防止することができる。
【００６３】
図５（ｂ）は、パチンコ機１０とカードユニット２０との間において通信不能が発生した際の通信不能発生時処理の一例を表すフローチャートである。パチンコ機１０は、カードユニット２０との間における通信の可否を常時監視しており、カードユニット２０との間で通信不能が発生したこと、即ちＳ１０３の接続確認ができなくなったり、Ｓ１０４の払出確認信号を送信不能になったり、カードユニット２０から発射制御基板（図示外）に対して電源が供給されなくなったことを検知すると（Ｓ１３１）、払出制御基板１２のＥＥＰＲＯＭで記憶している復号化鍵を消去し（Ｓ１３２）、カードユニット２０は、パチンコ機１０との間で通信可能に復帰したこと、即ちパチンコ機１０から送信されてくるＳ１０３の接続確認信号及びＳ１０４の払出確認信号の受信を検知すると（Ｓ１３３）、システムコントローラ４に対してＳ１０７で記憶した製造元ＩＤに対応する復号化鍵の送信を要求し（Ｓ１３４）、前記鍵受信手段として機能するシステムコントローラ用通信部２１により、該送信要求に応じてシステムコントローラ４から送信されてくる復号化鍵を受信して（Ｓ１３５）、該受信した復号化鍵をパチンコ機１０に対して送信し（Ｓ１３６）、該パチンコ機１０は、前記復号化鍵受信手段として機能する払出制御基板１２により、システムコントローラ４からカードユニット２０を介して送信されてくる復号化鍵（即ちＳ１０６で送信した製造元ＩＤに対応する復号化鍵）を受信して、前記復号化鍵記憶手段として機能する払出制御基板１２のＥＥＰＲＯＭにより、該受信した復号化鍵を記憶する（Ｓ１３７）。これによれば、カードユニット２０との間における通信が不能になったことに基づいて、パチンコ機１０が記憶している復号化鍵が消去されるので、該通信不能時に復号化鍵が不正に取得されてしまうことを防止することができる。
【００６４】
図６は、カードユニット２０において貸与操作が受け付けられた際の貸与処理の一例を表すフローチャートである。カードユニット２０において、プリペイドカード３を受け付けている状態で貸与操作が行われると（Ｓ２０１）、受け付けているプリペイドカード３から読み取ったカード残額が当該カードユニット２０について予め定められている単位有価価値（ここでは５度数５００円。以下、「使用額」と称する。）以上であるか否かを判定する（Ｓ２０２）。
【００６５】
このＳ２０２でカード残額が使用額未満である（ＮＯ）と判定された場合には、Ｓ２０１の貸与操作を無効とする。一方、Ｓ２０２でカード残額が使用額以上である（ＹＥＳ）と判定された場合には、暗号化手段として機能するユニット制御部２２により、貸与数特定データ記憶手段にて記憶している貸与数特定データから特定される貸与数（ここではＳ１１６で貸与数算出手段により算出してユニット制御部２２のＥＥＰＲＯＭで記憶している貸与数）を示す貸与数データを、遊技機特定情報受信手段にて受信した製造元ＩＤに対応する暗号化鍵（ここではＳ１１２でシステムコントローラ４から受信してＳ１１７でユニット制御部２２のＥＥＰＲＯＭに記憶している暗号化鍵）で暗号化して（Ｓ２０３）、貸与数データ送信手段として機能する貸与通信部２３により、貸与数データ送信手段を介して、前記貸与要求処理として、該暗号化した貸与数データをパチンコ機１０に対して送信する（Ｓ２０４）。
【００６６】
Ｓ２０４の貸与数データを受信したパチンコ機１０は、復号化手段として機能する払出制御基板１２により、該受信した貸与数データを、前記復号化鍵記憶手段であるＥＥＰＲＯＭで記憶している復号化鍵で復号化して（Ｓ２０５）、該復号化ができたか否かを判定する（Ｓ２０６）。
【００６７】
このＳ２０６で復号化ができなかった（ＮＯ）と判定された場合には、Ｓ２０７の貸与応答処理を行わずに、エラー処理１及び２を行う。まずエラー処理１は、カードユニット２０に対してエラー信号を送信する処理である。この処理を行うことにより、該エラー信号がカードユニット２０を介してシステムコントローラ４に送信されるので、該システムコントローラ４を管理する第三者機関において迅速な対応をとることができる。またエラー処理２は、前記遊技機特定情報送信手段として機能する払出制御基板１２により、ＥＥＰＲＯＭで記憶している製造元ＩＤをパチンコ機１０に対して送信する処理である。この処理を行うことにより、カードユニット２０において、エラーの原因となる製造元ＩＤの誤りを修正することができて、早期に復旧することができる。なおエラー処理１及び２の両方は行わずに、いずれか一方のみを行うものでも良い。
【００６８】
前記Ｓ２０６で復号化ができた（ＹＥＳ）と判定された場合には、前記貸与応答処理として、払出制御基板１２の制御により、復号化した貸与数データが示す貸与数分のパチンコ玉を玉払出装置２７から払い出し（Ｓ２０７）、該貸与応答処理が完了した後に、貸与完了信号線を介して、貸与完了信号をカードユニット２０に対して送信する（Ｓ２０８）。
【００６９】
Ｓ２０８の貸与完了信号を受信したカードユニット２０は、受け付けているプリペイドカード３のカード残額から使用額を減算する処理（即ち該減算後のカード残額をプリペイドカード３に書き込む処理）を行って（Ｓ２０９）、受け付けているプリペイドカード３のカードＩＤと使用額とを示す減算要求をシステムコントローラ４に対して送信し（Ｓ２１０）、該システムコントローラ４は、該減算要求が示すカードＩＤに対応付けて残額管理ＤＢで記憶しているカード残額から該減算要求が示す使用額を減算更新する（Ｓ２１１）。
【００７０】
以上に説明した遊技用システム１によれば、遊技機の製造元を特定可能な遊技機特定情報（製造元ＩＤ）が該パチンコ機１０からカードユニット２０に対して送信され（Ｓ１０６）、カードユニット２０において、貸与数を示す貸与数データが前記製造元ＩＤに対応する暗号化鍵で暗号化されてパチンコ機１０に対して送信され（Ｓ２０３，Ｓ２０４）、パチンコ機１０において、前記製造元ＩＤに対応する復号化鍵で復号化された貸与数データが示す貸与数の遊技媒体が貸与されるので（Ｓ２０５，Ｓ２０７）、例えば貸与数データを真似した偽データをパチンコ機１０に対して送信する等の遊技場の不正による貸与数の間引きを防止することができる。
【００７１】
［２．第２実施形態］
次に、第２実施形態に係る遊技用システム１について説明する。この第２実施形態では、図７に示すように、センタサーバ５において、１回の貸与で使用される単位有価価値に応じたパチンコ玉の貸与数（ここでは１２０個）が設定される。そして該設定された貸与数は、単位有価価値に応じたパチンコ玉の貸与数を特定可能な貸与数特定データとして、システムコントローラ４に対して送信されて記憶される。またカードユニット２０が、前記暗号化鍵記憶手段として機能するユニット制御部２２のＥＥＰＲＯＭにより、複数の製造元ＩＤの各々に対応する複数の暗号化鍵を予め記憶している。この複数の暗号化鍵は、カードユニット２０の製造時に予めＥＥＰＲＯＭに記憶されるものでも良く、またシステムコントローラ４から受信して事後的にＥＥＰＲＯＭに記憶されるものでも良い。さらにパチンコ機１０が、前記復号化鍵記憶手段として機能する払出制御基板１２のＥＥＰＲＯＭにより、当該パチンコ機１０の製造元ＩＤに対応する復号化鍵を予め記憶している。この復号化鍵は、パチンコ機１０の製造時に予めＥＥＰＲＯＭに記憶されるものである。
【００７２】
そして図８に示すように、カードユニット２０において電源が投入されると共に（Ｓ１０１）、パチンコ機１０において電源が投入されると（Ｓ１０２）、前記Ｓ１０３〜Ｓ１０８の処理を行い、カードユニット２０は、Ｓ１０８でＹＥＳと判定されると、システムコントローラ４に対して貸与数特定データの送信を要求し（Ｓ１０９）、該貸与数特定データの送信要求を受信したシステムコントローラ４は、前記記憶している貸与数（ここでは１２０個）を示す貸与数特定データをカードユニット２０に対して返信する（Ｓ１１１’）。
【００７３】
Ｓ１１１’の貸与数特定データを受信したカードユニット２０は、前記貸与数特定データ記憶手段として機能するユニット制御部２２のＥＥＰＲＯＭにより、該受信した貸与数特定データ（ここでは１２０個）を記憶して（Ｓ１１３）、該記憶している貸与数特定データをシステムコントローラ４に対して送信し（Ｓ１１４’）、前記Ｓ１１６の処理（即ち貸与数の算出と記憶）を行うことなく、スタンバイ状態となる。即ち第２実施形態において、ユニット制御部２２は、前記貸与数算出手段としては機能せず、貸与数特定データと貸与数データは、同じ値（ここでは１２０個）を示すものである。Ｓ１１４’の貸与数特定データを受信したシステムコントローラ４は、該受信した貸与数特定データと前記設定された貸与数特定データとが一致するか否かを照合し（Ｓ１１５）、一致しなければ（ＮＯ）、前記Ｓ１１１’の処理を行う。
【００７４】
なお、カードユニット２０が暗号化鍵を予め記憶していると共に、パチンコ機１０も復号化鍵を予め記憶しているので、図３で説明した前記Ｓ１１０，Ｓ１１２，Ｓ１１７，Ｓ１１８，及びＳ１１９の処理は行わない。
【００７５】
そしてカードユニット２０において、プリペイドカード３を受け付けている状態で貸与操作が行われると（Ｓ２０１）、前記Ｓ２０２の処理を行い、該Ｓ２０２でＹＥＳと判定された場合には、Ｓ１０６でパチンコ機１０から受信してＳ１０７で記憶している製造元ＩＤに対応する暗号化鍵を、前記記憶している複数の暗号化鍵の中から選択し（Ｓ２０２’）、前記暗号化手段として機能するユニット制御部２２により、貸与数特定データ記憶手段にて記憶している貸与数特定データから特定される貸与数（ここではＳ１１６で貸与数算出手段により算出してユニット制御部２２のＥＥＰＲＯＭで記憶している貸与数）を示す貸与数データを、遊技機特定情報受信手段にて受信した製造元ＩＤに対応する暗号化鍵（ここではＳ２０２’で選択した暗号化鍵）で暗号化して（Ｓ２０３’）、前記Ｓ２０４に進む。これによれば、カードユニット２０が複数の製造元ＩＤの各々に対応する複数の暗号化鍵を記憶しており、該複数の暗号化鍵のうちの、対応するパチンコ機１０の製造元ＩＤに対応する暗号化鍵で暗号化が行われるので、複数種類のパチンコ機１０に対応することができる。
【００７６】
なお第２実施形態に係る予備のカードユニット２０’は、図４に示す電源投入時処理において、Ｓ１１１に代えてＳ１１１’の処理を行い、Ｓ１１４に代えてＳ１１４’の処理を行い、かつＳ１１６の処理を行わない。
【００７７】
［３．変形例］
最後に、本発明の変形例について説明する。
【００７８】
上記の実施形態では、図１及び図７に示すように、遊技機がパチンコ機１０である例について説明したが、これに限らず、該遊技機は、貸与要求処理に応じて遊技媒体を貸与する貸与応答処理を行うものであれば、遊技媒体としてメダルを使用し、貸与応答処理として該メダルを払い出したりクレジットに加算するスロットマシンや、遊技媒体としてパチンコ玉を使用し、貸与応答処理として該パチンコ玉を払い出すスロットマシンであるパロット（登録商標）や、遊技媒体であるパチンコ玉が指触不能に封入され、貸与応答処理として該パチンコ玉の計数値を加算する封入式のパチンコ機や、遊技媒体として得点データを使用し、貸与応答処理として該得点データを加算するパチンコ機，スロットマシン，及びパロット（登録商標）等であっても良い。
【００７９】
上記の実施形態では、図１，図７，及び図２（ｂ）に示すように、貨幣が紙幣２である例について説明したが、これに限らず、該貨幣は、硬貨であっても良く、紙幣２と硬貨の両方であっても良い。また有体物である貨幣の入金を受け付ける例には限られず、無体物である貨幣（例えば電子マネー等の貨幣金額に相当する金額データ，デビットカードの記録情報から特定される預金口座の残高，又はクレジットカードの記録情報から特定される与信金額等）の入金を接触又は非接触で受け付けるようにしても良い。さらに遊技用装置（カードユニット２０）は、貨幣を受付不能（即ち入金不能）なものであっても良い。
【００８０】
上記の実施形態では、プリペイドカード３が、非接触式のＩＣチップにより情報を記録するＩＣカードである例について説明したが、これに限らず、該プリペイドカード３は、接触式のＩＣチップ，磁気ストライプ，二次元コード（例えばバーコード），三次元コード，又は光干渉（例えばホログラム）等により情報を記録するものでも良い。またこれらの形状はカード型には限られず、コイン型であっても良い。さらに遊技用記録媒体は、プリペイドカード３ではなく、ＩＣチップを搭載した携帯電話等であっても良い。
【００８１】
上記の実施形態において、遊技用システム１に、プリペイドカード３に記録されているカード残額に相当する貨幣を払い出して精算を行うことができる精算装置を設けるようにしても良い。
【００８２】
上記の実施形態では、図１，図７，及び図２（ａ）に示すように、残度数表示器１４，貸与ボタン１５，及びカード返却ボタン１６が、パチンコ機１０に設けられている例について説明したが、これに限らず、これらの一部又は全部がカードユニット２０に設けられるようにしても良い。
【００８３】
上記の実施形態では、プリペイドカード３に記録されているカード残額と、該プリペイドカード３のカードＩＤと対応付けてシステムコントローラ４で管理されているカード残額との照合が行われ、照合ＯＫであるときに、プリペイドカード３に記録されているカード残額を使用した貸与が行われる例について説明したが、これに限らず、例えばプリペイドカード３にはカード残額を記録せずに、該プリペイドカード３のカードＩＤと対応付けてシステムコントローラ４で管理されているカード残額を使用した貸与が行われるようにしても良く、逆にシステムコントローラ４ではカード残額を管理せずに、プリペイドカード３に記録されているカード残額を使用した貸与が行われるようにしても良い。
【００８４】
上記の実施形態では、遊技用装置（カードユニット２０）について単位有価価値が予め設定されており、遊技場の係員や遊技者が変更できない例について説明したが、これに限らず、遊技場の係員がカードユニット２０に対して単位有価価値を変更する信号を送信する処理を行ったり、遊技者がカードユニット２０に設けられている単位有価価値設定ボタンを操作することにより、該単位有価価値を変更できるように構成しても良い。そして図３に示す第１実施形態において、カードユニット２０について設定されている単位有価価値を変更した場合には、該カードユニット２０は、Ｓ１１６で、変更後の単位有価価値に基づいて貸与数を算出して記憶する。また図８に示す第２実施形態において、カードユニット２０について設定されている単位有価価値を変更した場合には、該カードユニット２０は、変更後の単位貸与価値をシステムコントローラ４に対して送信し、該システムコントローラ４は、変更後の単位貸与価値に基づいて貸与数を算出して設定して、Ｓ１１１’で、該設定した貸与数を示す貸与数特定データをカードユニット２０に対して送信し、該カードユニット２０は、Ｓ１１３以下の処理を行う。
【００８５】
上記の実施形態では、単位有価価値（５００円）÷税込み貸与単価（４．２円／個）で算出される商の小数点以下を切り上げて貸与数を特定する例について説明したが、これに限らず、該商の小数点以下を切り捨てたり四捨五入して貸与数を特定するようにしても良い。
【００８６】
上記の実施形態では、システムコントローラ４が管理装置である例について説明したが、これに限らず、センタサーバ５が管理装置として機能するように構成しても良く、この場合には、遊技用装置（カードユニット２０）からシステムコントローラ４に対して送信される情報がセンタサーバ５に対して転送されて、該センタサーバ５が管理装置としての処理（即ち図３〜図６，及び図８においてシステムコントローラ４が行う処理）を行う。
【００８７】
上記の第１実施形態では、図１に示すように、所定の掛数として、消費税率を設定する例について説明したが、これに限らず、該所定の掛数として、将来導入される可能性のある遊技税率を設定するものであっても良い。
【００８８】
上記の第１実施形態では、図１に示すように、所定の掛数として、消費税率を設定する例について説明したが、これに限らず、該所定の掛数として、例えば税抜きの場合の貸与数（例えば１２５個）から税額に応じて減算する数（例えば５個）を設定するものであっても良い。
【００８９】
上記の実施形態では、図１及び図７に示すように、遊技機特定情報が、遊技機（パチンコ機１０）の製造元を特定可能な製造元ＩＤである例について説明したが、これに限らず、該遊技機特定情報は、遊技機の機種を特定可能な機種ＩＤであっても良く、この場合には、システムコントローラ４の鍵管理ＤＢにおいて、複数の機種ＩＤの各々に対応する複数の暗号化鍵及び復号化鍵が記憶され、パチンコ機１０のＲＯＭにおいて、当該パチンコ機１０の機種の機種ＩＤが記憶され、図３〜図８においては、製造元ＩＤに代えて機種ＩＤが送信される。このように、暗号化鍵及び復号化鍵を、機種ＩＤに対応させることにより、製造元ＩＤに対応させた場合よりも、細分化されるため、より不正を防止することができる。
【００９０】
上記の実施形態では、図１及び図７に示すように、貸与通信部２３と払出制御基板１２との間に、接続確認信号線，払出可能信号線，製造元ＩＤ信号線，復号化鍵信号線，貸与数データ信号線，及び貸与完了信号線が設けられている例について説明したが、これに限らず、これら信号線の全部又は一部をまとめてシリアル通信を行うものであっても良い。
【００９１】
上記の実施形態では、図３，図４，又は図８のＳ１０５及びＳ１０６に示すように、遊技用装置（カードユニット２０）と遊技機（パチンコ機１０）との間における通信が確立されたことに基づいて、遊技用装置から遊技機に対して遊技機特定情報（製造元ＩＤ又は機種ＩＤ）の送信が要求され、該送信要求に応じて遊技機から遊技用装置に対して遊技機特定情報が送信される例について説明したが、これに限らず、該遊技機特定情報の送信が、定期的（例えば１時間毎）に行われるようにしても良い。
【００９２】
上記の実施形態では、図３のＳ１０８及びＳ１０９，又は図８のＳ１０８及びＳ１０９’に示すように、遊技用装置（カードユニット２０）と管理装置（システムコントローラ４）との間における通信が確立されたことに基づいて、遊技用装置から管理装置に対して貸与数特定データの送信が要求され、該送信要求に応じて管理装置から遊技用装置に対して貸与数特定データが送信される例について説明したが、これに限らず、該貸与数特定データの送信が、定期的（例えば１時間毎）に行われるようにしても良い。
【００９３】
上記の実施形態では、図３のＳ１１４，又は図８のＳ１１４’に示すように、遊技用装置（カードユニット２０）における電源投入時に、該遊技用装置から管理装置（システムコントローラ４）に対して貸与数特定データが送信される例について説明したが、これに限らず、該貸与数特定データの送信が、定期的（例えば１時間毎）に行われるようにしても良い。
【００９４】
上記の実施形態では、遊技機（パチンコ機１０）に設けられる復号化鍵記憶手段が払出制御基板１２である例について説明したが、これに限らず、該復号化鍵記憶手段は遊技制御基板１１であっても良い。
【００９５】
上記の第１実施形態では、図３のＳ１１８に示すように、遊技用装置（カードユニット２０）から遊技機（パチンコ機１０）に対する復号化鍵の送信が、Ｓ１１７の処理の後に行われる例について説明したが、これに限らず、該復号化鍵の送信が、Ｓ１１２で当該復号化鍵を受信した直後に行われるようにしても良い。
【００９６】
上記の実施形態では、図４のＳ１０１’に示すように、遊技用装置（カードユニット２０）において交換モードで電源が投入されると、前記Ｓ１０９，Ｓ１１１，及びＳ１０３〜Ｓ１１６の処理を行わない例について説明したが、該遊技用装置において図３のＳ１０１に示すように電源が投入されると、該図３に示す処理を行う。
【００９７】
上記の実施形態では、単位有価価値が４円貸し５度数５００円である場合に、遊技用装置（カードユニット２０）から遊技機（パチンコ機１０）に対して、貸与要求処理として、１２０個の貸与数を示す貸与数データを送信し、貸与応答処理が完了すると、遊技機から遊技用装置に対して、貸与完了信号を送信する例について説明したが、これに限らず、１度数１００円毎に、遊技用装置から遊技機に対して２４個の貸与を要求する貸与要求信号を送信し、該遊技機から遊技用装置に対して要求了解信号を送信し、該遊技用装置から遊技機に対して貸与指令信号を送信し、２４個の貸与が完了すると該遊技機から遊技用装置に対して貸与完了信号を送信する処理（いわゆるハンドシェイク）を行い、当該処理を５回繰り返すことにより、貸与要求処理及び貸与応答処理を行うものであっても良い。
【００９８】
上記の実施形態では、図６のＳ２０９及びＳ２１０の処理が、Ｓ２０８の貸与完了信号を受信した後に行われる例について説明したが、これに限らず、該Ｓ２０９及びＳ２１０の処理は、Ｓ２０２でＹＥＳと判定された後、Ｓ２０８の貸与完了信号を受信する前に行われるようにしても良い。
【００９９】
上記の実施形態では、図６のＳ２１０に示す減算要求を、貸与が行われる毎に送信する例について説明したが、これに限らず、カードユニット２０がプリペイドカード３を受け付けている間は、該減算要求を蓄積して記憶しておき、該プリペイドカード３が返却される例に、該蓄積して記憶している減算要求を一括して送信するようにしても良い。
【０１００】
上記の実施形態では、全ての遊技用装置（カードユニット２０）について、税抜き貸与単価（４円）及び単位有価価値（５度数５００円）が同一である例について説明したが、これに限らず、例えば図１に示すように、管理装置（システムコントローラ４）において、対象となる遊技用装置（ここではユニットＩＤが０００１〜００２０のカードユニット２０）の税抜き貸与単価及び単位有価価値が設定されると、該設定内容がユニット制御部２２のＥＥＰＲＯＭで記憶されるようにしても良い。この場合において、第１実施形態では、カードユニット２０において、図３又は図４のＳ１１１で、設定された税抜き貸与単価及び単位有価価値に基づいて貸与数を算出して記憶して、Ｓ１１３以下の処理を行う。また第２実施形態では、システムコントローラ４において、設定された税抜き貸与単価及び単位有価価値に基づいて貸与数を算出して設定して、図６のＳ１０７’で、該設定した貸与数を示す貸与数特定データをカードユニット２０に対して送信し、該カードユニット２０は、Ｓ１０８以下の処理を行う。
【０１０１】
上記の第２実施形態では、図８のＳ２０２’に示すように、貸与操作が行われる毎に暗号化鍵が選択される例について説明したが、これに限らず、貸与操作が行われる前に予め暗号化鍵を選択しておき、貸与操作が行われると、該選択されている暗号化鍵で暗号化を行うようにしても良い。
【０１０２】
上記の実施形態では、図３のＳ２０３又は図８のＳ２０３’に示すように、貸与操作が行われる毎に貸与数データの暗号化が行われる例について説明したが、これに限らず、貸与操作が行われる前に予め貸与数データの暗号化を行っておき、貸与操作が行われると、該暗号化されている貸与数データを送信するようにしても良い。即ち貸与数データ送信手段（貸与通信部２３）は、貸与要求処理の際に、暗号化した貸与数データを送信するものであるが、暗号化手段（ユニット制御部２２）は、貸与要求処理の際に暗号化を行わずに、予め暗号化を行うものであっても良い。
【図面の簡単な説明】
【０１０３】
【図１】図１は本発明の第１実施形態に係るパチンコ機及びカードユニットを含む遊技用システムの一例を表す機能ブロック図である。
【図２】図２（ａ）はパチンコ機及びカードユニットを含む遊技用システムの一例を表す正面図であり、図２（ｂ）は同カードユニットの断面右側面図である。
【図３】図３はカードユニット及びパチンコ機において電源が投入された際の電源投入時処理の一例を表すフローチャートである。
【図４】図４は予備のカードユニットにおいて電源が投入された際の電源投入時処理，及び該予備のカードユニットがパチンコ機に対応付けられた際の設置時処理の一例を表すフローチャートである。
【図５】図５（ａ）はカードユニットとシステムコントローラとの間で通信不能が発生した際の通信不能発生時処理の一例を表すフローチャートであり、図５（ｂ）はパチンコ機とカードユニットとの間で通信不能が発生した際の通信不能発生時処理の一例を表すフローチャートである。
【図６】図６はカードユニットにおいて貸与操作が受け付けられた際の貸与処理の一例を表すフローチャートである。
【図７】図７は本発明の第２実施形態に係るパチンコ機及びカードユニットを含む遊技用システムの一例を表す機能ブロック図である。
【図８】図８は第２実施形態に係るカードユニット及びパチンコ機において電源が投入された際の電源投入時処理，及び該カードユニットにおいて貸与操作が受け付けられた際の貸与処理の一例を表すフローチャートである。
【符号の説明】
【０１０４】
１…遊技用システム
４…システムコントローラ
１０…パチンコ機
１２…払出制御基板
２０…カードユニット
２０’…予備のカードユニット
２１…システムコントローラ用通信部
２２…ユニット制御部
２３…貸与通信部
【図１】
2010088636.tif 000003
【図２】
2010088636.tif 000004
【図３】
2010088636.tif 000005
【図４】
2010088636.tif 000006
【図５】
2010088636.tif 000007
【図６】
2010088636.tif 000008
【図７】
2010088636.tif 000009
【図８】
2010088636.tif 000010